(57)【要約】【課題】被写体を撮影する際の準備時間や、片付け時間を短縮することができる光干渉断層画像生成装置を提供すること。【解決手段】光干渉断層画像生成装置は、光源１１から照射されたレーザ光を、被写体に照射する計測光と走査手段３２に照射する参照光とに分配し、反射して戻って来た散乱光と走査手段３２で反射した反射光とを合成させた干渉光を解析して光干渉断層画像を生成する。光干渉断層画像生成装置は、計測光を被写体に照射して反射して戻って来た散乱光を回収するプローブと、計測光を照射する光源１１を備えたＯＣＴ本体１ａと、を備えている。プローブは、インスツルメントハンガー３４０を備えた歯科用診療ユニット３００に配置されて、計測光及び散乱光を伝送するプローブ用光ファイバ６１を備えている。プローブ用光ファイバ６１は、ＯＣＴ本体１ａに着脱可能に取り付けられている。【選択図】図３
2020060455.tif 000002
【特許請求の範囲】
【請求項１】
光源から照射されたレーザ光を、被写体に照射する計測光と、参照ミラーに照射する参照光とに分配し、前記被写体から反射して戻って来た散乱光と前記参照ミラーで反射した反射光とを合成させた干渉光を解析して光干渉断層画像を生成する光干渉断層画像生成装置であって、
前記計測光を前記被写体に照射して前記被写体から反射して戻って来た前記散乱光を回収するプローブと、
前記プローブに前記計測光及び前記散乱光を伝送するプローブ用光ファイバと、
前記計測光を照射する前記光源を備えたＯＣＴ本体と、
前記光源から照射されたレーザ光を複数の前記プローブに分配して送る光分配装置と、を備えていること、
を特徴をする光干渉断層画像生成装置。
【請求項２】
前記光分配装置は、レーザ光を反射させる光分配手段と、
前記光分配手段を前記レーザ光を反射させる状態と、前記レーザ光を当たらない状態と、に切り換えるアクチュエータと、を備えていること、
を特徴とする請求項１に記載の光干渉断層画像生成装置。
【請求項３】
前記ＯＣＴ本体は、計測光側サーキュレータ及び前記プローブの間に配置される前記光分配装置と、
複数の前記プローブのうち一の前記プローブの使用を判定する使用判定手段に基づいて前記光分配装置を切り換える使用切換手段と、
前記参照光を伝送する参照光側光ファイバと、を備え、
前記参照光側光ファイバと複数の前記プローブ用光ファイバとは、互いに同じ長さであること、
を特徴とする請求項２に記載の光干渉断層画像生成装置。
【請求項４】
前記ＯＣＴ本体は、計測光側サーキュレータと前記プローブとの間と、参照光側サーキュレータと光路長設定手段との間に、それぞれ配置される複数の前記光分配装置と、
複数の前記プローブのうち一の前記プローブの使用を判定する使用判定手段に基づいて複数の前記光分配装置を切り換える使用切換手段と、
前記参照光を伝送する参照光側光ファイバと、を備え、
複数の前記プローブ用光ファイバと複数の前記参照光側光ファイバとは、少なくとも一組の同じ長さの光ファイバを有し、
前記使用切換手段は、前記使用判定手段に基づいて一組の同じ長さの前記光ファイバに光を反射させるように複数の前記光分配装置を切り換えること、
を特徴とする請求項２に記載の光干渉断層画像生成装置。
【請求項５】
前記ＯＣＴ本体は、前記光源とカップラとの間に配置される前記光分配装置と、
前記干渉光を検出するディテクタからの複数の出力のうち一の前記出力を出力する出力切換装置と、を備え、
複数の前記プローブのうち一の前記プローブの使用を判定する使用判定手段に基づいて前記光分配装置及び前記出力切換装置を切り換える使用／出力切換手段を有していること、
を特徴とする請求項２に記載の光干渉断層画像生成装置。
【請求項６】
前記使用判定手段は、複数の歯科用診療ユニット、前記ＯＣＴ本体、あるいは、複数の前記プローブに備えた使用入力手段からの入力を判定すること、
を特徴とする請求項３から請求項５のいずれか１項に記載の光干渉断層画像生成装置。
【請求項７】
複数の前記歯科用診療ユニットのインスツルメントハンガーは、前記プローブを備え、
前記使用判定手段は、ハンガーからインスツルメントが引き出されたこと、及び、前記ハンガーへの掛け止めを検出し、早く引き出されたインスツルメントを優先に当該インスツルメントのみを駆動させるように駆動回路を制御する優先回路機構である使用入力手段からの入力を判定すること、
を特徴とする請求項６に記載の光干渉断層画像生成装置。
【請求項８】
複数の前記歯科用診療ユニットには、前記ＯＣＴ本体にそれぞれ接続された表示装置と、
前記ＯＣＴ本体にそれぞれ接続されたフットコントローラと、を備え、
前記優先回路機構は、前記ハンガーから前記インスツルメントが引き出されたこと、及び、前記ハンガーへの掛け止めを検出したときに、前記表示装置及び前記フットコントローラを前記プローブ用に切り換えること、
を特徴とする請求項７に記載の光干渉断層画像生成装置。
【請求項９】
前記ＯＣＴ本体は、計測光側サーキュレータ及び前記プローブの間に配置される前記光分配装置と、
複数の前記プローブのうち一の前記プローブを使用するための前記光分配装置を選択する選択スイッチと、
前記参照光を伝送する参照光側光ファイバと、を備え、
前記参照光側光ファイバと複数の前記プローブ用光ファイバとは、互いに同じ長さであること、
を特徴とする請求項２に記載の光干渉断層画像生成装置。
【請求項１０】
前記ＯＣＴ本体は、計測光側サーキュレータと前記プローブとの間と、参照光側サーキュレータと光路長設定手段との間に、それぞれ配置される複数の前記光分配装置と、
複数の前記プローブのうち一の前記プローブを使用するための前記光分配装置を選択する選択スイッチと、
前記参照光を伝送する参照光側光ファイバと、を備え、
複数の前記プローブ用光ファイバと複数の前記参照光側光ファイバとは、少なくとも一組の同じ長さの光ファイバを有し、
前記選択スイッチは、一組の同じ長さの前記光ファイバに光を反射させるように複数の前記光分配装置を切り換えること、
を特徴とする請求項２に記載の光干渉断層画像生成装置。
【請求項１１】
前記ＯＣＴ本体は、前記光源とカップラとの間に配置される前記光分配装置と、
前記干渉光を検出するディテクタからの複数の出力のうち一の前記出力を出力する出力切換装置と、を備え、
複数の前記プローブのうち一の前記プローブを使用するための前記光分配装置及び前記出力切換装置に切り換える選択スイッチを有していること、
を特徴とする請求項２に記載の光干渉断層画像生成装置。
【請求項１２】
前記光分配装置は、複数の前記プローブに対して、前記光源からのレーザ光を１台の装置によって反射して送ること、
を特徴とする請求項１から請求項１１のいずれか１項に記載の光干渉断層画像生成装置。
【請求項１３】
前記ＯＣＴ本体は、さらに遅延回路を有すること、
を特徴とする請求項１から請求項１２のいずれか１項に記載の光干渉断層画像生成装置。
【請求項１４】
前記プローブは、前記計測光及び前記散乱光を伝送するプローブ用光ファイバを備え、前記プローブ用光ファイバは、前記ＯＣＴ本体に着脱可能に取り付けられること、
を特徴とする請求項１から請求項１３のいずれか１項に記載の光干渉断層画像生成装置。
【発明の詳細な説明】
【技術分野】
【０００１】
本発明は、光のコヒーレント（干渉性）を利用して物体内部の断層像を撮像する光干渉断層画像生成装置に関する。
【背景技術】
【０００２】
従来、歯科用の光干渉断層画像生成装置（Optical Coherence Tomography：以下、ＯＣＴ装置という。）は、光源から照射されたレーザ光を計測光と参照光とに分配し、計測光をプローブから口腔内組織に照射すると共に、参照光を参照ミラーに照射する。さらに、ＯＣＴ装置は、口腔内組織から反射して戻って来た散乱光をプローブで回収し、散乱光と参照ミラーからの反射光とを光合波器で合成させ、その干渉光を解析して断層画像を生成している（例えば、特許文献１参照）。
【０００３】
特許文献１のＯＣＴ装置（歯科計測装置）は、被写体に計測光を照射して反射光を受光するプローブと、前記した光源、光合波器等を備えて、断層画像を生成するＯＣＴ本体と、ＯＣＴ本体等に設けられた表示装置と、を主に備えて構成されている。
【先行技術文献】
【特許文献】
【０００４】
【特許文献１】特開２０１３−２３３３０３号公報
【発明の概要】
【発明が解決しようとする課題】
【０００５】
しかし、特許文献１に記載されているＯＣＴ装置は、１台のプローブと、この１台のプローブに接続された１台のＯＣＴ本体と、から構成されているので、プローブを２台にした場合、プローブの数に合わせてＯＣＴ本体の数も同数設置することが不可欠であった。このため、プローブを増設した場合は、ＯＣＴ本体の数も増えるので、設置スペースが増加すると共に、ＯＣＴ本体の数が増加した分だけ、コストアップになるという問題点があった。
【０００６】
そこで、本発明は、プローブを増設したとしても、１台のＯＣＴ本体で対応させることが可能な光干渉断層画像生成装置を提供することを課題とする。
【課題を解決するための手段】
【０００７】
前記課題を解決するために、本発明に係る光干渉断層画像生成装置は、光源から照射されたレーザ光を、被写体に照射する計測光と、参照ミラーに照射する参照光とに分配し、前記被写体から反射して戻って来た散乱光と前記参照ミラーで反射した反射光とを合成させた干渉光を解析して光干渉断層画像を生成する光干渉断層画像生成装置であって、前記計測光を前記被写体に照射して前記被写体から反射して戻って来た前記散乱光を回収するプローブと、前記プローブに前記計測光及び前記散乱光を伝送するプローブ用光ファイバと、前記計測光を照射する前記光源を備えたＯＣＴ本体と、前記光源から照射されたレーザ光を複数の前記プローブに分配して送る光分配装置と、を備えていることを特徴とする。
【発明の効果】
【０００８】
本発明は、プローブを増設したとしても、１台のＯＣＴ本体で対応させることが可能な光干渉断層画像生成装置を提供することができる。
【図面の簡単な説明】
【０００９】
【図１】本発明の実施形態に係る光干渉断層画像生成装置の一例を示す外観図である。
【図２】図１に示す歯科用診療ユニットの要部拡大斜視図である。
【図３】本発明の実施形態に係る光干渉断層画像生成装置の一例を示すブロック図である。
【図４】光分配装置の一例を示すブロック図である。
【図５】（ａ）は反射鏡を有する光分配装置を示す要部拡大側面図、（ｂ）は、プリズムを有する光分配装置を示す要部拡大側面図である。
【図６】本発明の実施形態に係る光干渉断層画像生成装置の第１変形例を示す図であり、光干渉断層画像生成装置を１台の歯科用診療ユニットに使用している場合を示す斜視図である。
【図７】本発明の実施形態に係る光干渉断層画像生成装置の第２変形例を示す図であり、光分配装置を示すブロック図である。
【図８】本発明の実施形態に係る光干渉断層画像生成装置の第４変形例を示す図であり、光分配装置を示すブロック図である。
【図９】本発明の実施形態に係る光干渉断層画像生成装置の第５変形例を示す図であり、光分配装置を示すブロック図である。
【図１０】本発明の実施形態に係る光干渉断層画像生成装置の第６変形例を示す図であり、光分配装置を示すブロック図である。
【図１１】本発明の実施形態に係る光干渉断層画像生成装置の第７変形例を示す図であり、光分配装置を示すブロック図である。
【図１２】本発明の実施形態に係る光干渉断層画像生成装置の第８変形例を示す図であり、光分配装置を示すブロック図である。
【図１３】本発明の実施形態に係る光干渉断層画像生成装置の第９変形例を示す図であり、光分配装置を示すブロック図である。
【発明を実施するための形態】
【００１０】
以下、図１〜図５を参照して本発明の実施形態に係る光干渉断層画像生成装置であるＯＣＴ装置１について詳細に説明する。
【００１１】
＜ＯＣＴ装置＞
図１に示すように、ＯＣＴ装置１は、歯科の患者の診断対象の歯牙（例えば、前歯）であるサンプルＳ（被写体（図３参照））の断層画像を撮影する撮像装置である。ＯＣＴ装置１は、１台のＯＣＴ本体１ａと、複数の歯科用診療ユニット３００にそれぞれ配置された診断プローブ部３０（プローブ）、プローブ用光ファイバ６１、光分配装置４、表示装置８０、入力装置９（図３参照）、及び、フットコントローラ９０と、を備えて構成されている。
なお、ＯＣＴ装置１は、その一例として、診療室Ｒ内に配置された３台の歯科用診療ユニット３００に、診断プローブ部３０、表示装置８０、入力装置９（図３参照）、及び、フットコントローラ９０をそれぞれ配置した場合を例に挙げて説明する。
【００１２】
図３に示すＯＣＴ装置１は、光源１１から照射されたレーザ光を、サンプルＳに照射する計測光と、参照ミラー２１に照射する参照光と、に分配する。さらに、診断プローブ部３０では、計測光をサンプルＳに照射しサンプルＳから反射して戻って来た散乱光と、参照ミラー２１で反射した反射光と、を合成させた干渉光を解析して、光干渉断層画像を生成する。
【００１３】
＜ＯＣＴ本体＞
ＯＣＴ本体１ａは、光源１１と、光学ユニット部１０（光学ユニット）と、制御ユニット部５０（制御ユニット）と、ハウジング本体１ｂ（図１参照）と、ハウジング本体１ｂに設けられた光分配装置４、コネクタ４６，４７，４８と、ファイバコリメータ４９と、使用切換手段９１と、使用判定手段２５と、を主に備えて構成されている。
ハウジング本体１ｂは、光学ユニット部１０、制御ユニット部５０等を覆う収容箱体である。
【００１４】
＜光分配装置＞
図３に示すように、光分配装置４は、光源１１から照射されたレーザ光を複数の診断プローブ部３０（３０Ａ，３０Ｂ，３０Ｃ）に分配して送る装置であり、それぞれの診断プローブ部３０Ａ〜３０Ｃに配置されたコネクタプラグ３６に向けてレーザ光を反射させる。光分配装置４は、例えば、診断プローブ部３０Ａ〜３０Ｃの台数に合わせて、３台の光分配装置４（４１，４２，４３）を備えて構成されている。
図５（ａ）、（ｂ）に示すように、光分配装置４は、光分配手段（反射鏡４ａ、あるいは、プリズム４ｅ）と、光分配支持手段（ミラーマウント４ｂ）と、回転軸４ｃと、アクチュエータ４ｄと、を備えて構成されている。
【００１５】
光分配手段は、レーザ光を反射させる部材であり、反射鏡４ａ、あるいは、プリズム４ｅから成る。反射鏡４ａは、図５（ａ）に示すように、光源１１から計測光側サーキュレータ１４等を介して送られて来たレーザ光をコネクタ４６〜４８の手前にそれぞれ設けたファイバコリメータ４９に向けて反射させる板状のミラーから成る。プリズム４ｅは、図５（ｂ）に示すように、反射鏡４ａと同様、光源１１から計測光側サーキュレータ１４を介して送られて来たレーザ光を各診断プローブ部３０Ａ〜３０Ｃ用のファイバコリメータ４９に向けて反射させる部材であり、側面視して三角形の光導体（透明部材）から成る。
【００１６】
ミラーマウント４ｂは、図５（ａ）、（ｂ）に示すように、光分配手段（反射鏡４ａ、あるいは、プリズム４ｅ）を支持する支持体である。
アクチュエータ４ｄは、光分配手段を、レーザ光を反射させる状態と、レーザ光を当たらない状態と、に切り換える切換装置である。換言すると、アクチュエータ４ｄは、回転軸４ｃを回転駆動させて、反射鏡４ａを各診断プローブ部３０Ａ〜３０Ｃ用のファイバコリメータ４９がある方向に向けて反射するように回動させる駆動装置である。アクチュエータ４ｄは、反射鏡４ａの角度を予め設定した所定の角度に傾けることができるものであればよく、例えば、サーボモータ、パルスモータ、直流モータ等の回転機構から成る。３台の光分配装置４のアクチュエータ４ｄは、使用する診断プローブ部３０にレーザ光及び電力等を送るために、後記する使用切換手段９１によって切換えられる。
回転軸４ｃは、ミラーマウント４ｂを回動可能に軸支する軸部材である。
【００１７】
このほか、光分配手段の反射鏡４ａは、ミラーマウント４ｂの表面（光照射面）に鏡面加工を施して、ミラーマウント４ｂの表面でレーザ光を反射するようにしてもよい。
また、光分配手段の反射鏡４ａは、その鏡面加工に加えて、ミラーマウント４ｂの表面（光照射面）の反射率を高めるために、反射率の高い塗料等をコーティングしたものであってもよい。
つまり、光分配手段は、鏡面加工や、鏡面加工をした上にコーティングを施した場合は、光分配手段と光分配支持手段（ミラーマウント４ｂ）とを一体にしたものでもよい。
このように、光分配手段の反射鏡４ａは、レーザ光を反射するもので有ればよく、適宜変更してもよい。
【００１８】
図４に示すように、光分配装置４１〜４３は、ファイバコリメータ４５から放射されるレーザ光の光軸上に適宜な間隔を介して配置されている。光分配装置４１〜４３は、使用入力手段９３，９４，９５がＯＦＦのとき、使用切換手段９１により、ファイバコリメータ４５からレーザ光が反射鏡４ａに当たらない状態に傾動されている。なお、ファイバコリメータ４５から最も遠い位置に配置されている光分配装置４１は、使用入力手段９３〜９５がＯＦＦであっても、ファイバコリメータ４５からのレーザ光を診断プローブ部３０Ａ用の手前のファイバコリメータ４９に向けて反射する角度に反射鏡４ａを傾動させてもよい。光分配装置４１〜４３は、使用入力手段９３〜９５をＯＮさせると、使用切換手段９１により、アクチュエータ４ｄが駆動して回転軸４ｃを中心として回動し、ファイバコリメータ４５からレーザ光を各診断プローブ部３０Ａ〜３０Ｃ用のファイバコリメータ４９に向けて反射する角度に反射鏡４ａを傾動させる。
【００１９】
＜コネクタ＞
コネクタ４６〜４８は、それぞれの診断プローブ部３０に設けられたコネクタプラグ３６が接続される接続器具である。コネクタ４６〜４８は、例えば、ハウジング本体１ｂの側壁に複数（例えば、３個）設けられている。コネクタ４６〜４８と、このコネクタ４６〜４８に接続されたコネクタプラグ３６とは、レセプタクル３７によって接続が保持される。コネクタ４６〜４８のＯＣＴ本体１ａ側には、光ファイバ６１を介してファイバコリメータ４９がそれぞれ接続されている。また、コネクタ４６〜４８から引き出された電気配線６２は、使用切換手段９２を介してガルバノミラー制御回路５３に接続されている。
【００２０】
≪光学ユニット部≫
光学ユニット部１０は、一般的な光コヒーレンストモグラフィの各方式が適用可能な光源１１、光学系、検出部を備えている。光学ユニット部１０は、サンプルＳに高帯域な波長のレーザ光を続けて（周期的に）照射する光源１１と、レーザ光をサンプルＳに照射する計測光と参照ミラー２１に照射する参照光に分配するカップラ１２（光分割器）と、参照光が参照ミラー２１から反射して戻って来た反射光と散乱光とを合成させて干渉光を生成するカップラ１６と、その干渉光からサンプルＳの内部情報を検出するディテクタ２３（検出器）と、光源１１とディテクタ２３との間の光路中に設けられた光ファイバ６４と、その他光学部品等を備えている。
【００２１】
光源１１から射出された光は、光分割器であるカップラ１２により、計測光と参照光とに分けられる。計測光は、サンプルアーム１３の計測光側サーキュレータ１４からファイバコリメータ４５、光分配装置４、ファイバコリメータ４９、コネクタ４６〜４８、コネクタプラグ３６を介して診断プローブ部３０に入射する。この計測光は、受光レンズ３４（コリメータレンズ）、走査手段３２（ガルバノミラー）を経て走査光集光レンズ３１によってサンプルＳに集光され、そこで散乱、反射した後に再び走査光集光レンズ３１、走査手段３２、受光レンズ３４、ファイバコリメータ３５、コネクタプラグ３６、コネクタ４６〜４８、ファイバコリメータ４９、光分配装置４、ファイバコリメータ４５を経てサンプルアーム１３の計測光側サーキュレータ１４に戻る。戻って来た計測光の偏光成分は、偏光コントローラ１５によってより偏光の少ない状態に戻され、光合波器としてのカップラ１６を介してディテクタ２３に入力される。
【００２２】
一方、光分割器用のカップラ１２により分離された参照光は、レファレンスアーム１７の参照光側サーキュレータ１８からコリメータレンズ１９、光路長変更手段２４（光路長設定手段）を経て参照光集光レンズ２０によって参照ミラー２１（レファレンスミラー）に集光され、そこで反射した後に再び参照光集光レンズ２０、コリメータレンズ１９を経て参照光側サーキュレータ１８に戻る。戻って来た参照光の偏光成分は、偏光コントローラ２２によってより偏光の少ない状態に戻され、光合波器用のカップラ１６を介してディテクタ２３に入力される。つまり、カップラ１６が、サンプルＳで散乱、反射して戻って来た計測光と、参照ミラー２１で反射した反射光とを合波するので、合波により干渉した光（干渉光）をディテクタ２３がサンプルＳの内部情報として検出することができる。
【００２３】
図３に示すように、参照光の光路長変更手段２４は、コリメータレンズ１９を光軸方向に移動させて、カップラ１２から参照ミラー２１までの光路長を変更したり、初期の光路長を設定したりする際に使用する装置である。参照光の光路長変更手段２４は、例えば、コリメータレンズ１９を保持してコリメータレンズ１９と共に光軸に沿って光路長調整アクチュエータ等によって電動式に進退可能に配置されたコリメータレンズユニット（図示省略）と、参照光集光レンズ２０と、参照ミラー２１と、コリメータレンズユニット、参照光集光レンズ２０及び参照ミラー２１を支持する支持フレーム部材（図示省略）と、を備えて構成されている。
【００２４】
光源１１としては、例えば、ＳＳ−ＯＣＴ方式用のレーザ光源から成る。
参照光のコリメータレンズ１９は、カップラ１２で分割された参照光を平行光に収束させるレンズであり、コリメータ１９ａの略円筒状のレンズホルダ（図示省略）内に収容されている。
コリメータ１９ａは、コリメータレンズ１９と、該コリメータレンズ１９を内嵌した略円筒状のレンズホルダ（図示省略）と、レンズホルダ（図示省略）に内設されたコネクタ１９ｃと、一端がコネクタ１９ｃに接続され、他端が参照光側サーキュレータ１８に接続された参照光側光ファイバ１９ｂと、を備えている。
【００２５】
参照光集光レンズ２０は、コリメータレンズ１９によって収束された平行光を参照ミラー２１に集光させるレンズである。
【００２６】
＜歯科用診療ユニット＞
前記したように、図１に示す診療室Ｒには、３台の歯科用診療ユニット３００と、１台のＯＣＴ本体１ａと、が配置されている。それぞれの歯科用診療ユニット３００には、ＯＣＴ本体１ａにそれぞれ接続された表示装置８０と、ＯＣＴ本体１ａにそれぞれ接続されたフットコントローラ９０と、ＯＣＴ本体１ａにそれぞれ接続された診断プローブ部３０と、が配置されている。各歯科用診療ユニット３００は、例えば、歯科診療椅子３１０と、表示装置８０、アームを備えた支柱３２０と、歯科用テーブル３３０と、診断プローブ部３０が配置されるインスツルメントハンガー３４０等を備えている。
【００２７】
入力装置９（図３参照）は、カップラ１２（光分割器）から参照ミラー２１までの光路長の変更をアクチュエータ制御部（図示省略）に指令して、光路長調整アクチュエータ（図示省略）を起動、停止させるコントローラである。入力装置９は、表示装置８０上に表示されたカーソル（スライダー）、アイコン（あるいはポインタ）等のグラフィックインターフェイス（graphical user interface）を移動させるスイッチ操作等を行うことが可能になっている。このため、キーボードスイッチ及びマウス９７（図６参照）は、表示装置８０に映し出された画像を視認しながら操作を行うことができる。
【００２８】
また、入力装置９は、操作することで光路長調整アクチュエータ（図示省略）を正転させてコリメータ１９ａを前進させる正転用スイッチと、光路長調整アクチュエータ（図示省略）を反転させてコリメータ１９ａを後退させる反転用スイッチと、の機能を備えている。なお、入力装置９は、例えば、歯科用テーブル３３０の操作パネル３５０に配置したプッシュスイッチ３５１（図２参照）であってもよい。
【００２９】
図２に示すフットコントローラ９０は、足踏み式スイッチから成る。フットコントローラ９０は、例えば、撮影を開始する操作ノブ９０ａと、撮影を終了する操作ノブ９０ｂと、撮影した画像の保存をする操作ノブ９０ｃと、を備えて、足で操作可能になっている。フットコントローラ９０は、術者が診断プローブ部３０を持つなどして両手が塞がっていたとしても、撮影開始の操作ボタン（図示省略）を操作するために、制御ユニット部５０に有線または無線で通信可能に接続されている。
【００３０】
＜使用入力手段＞
図３に示すように、使用入力手段９３〜９５は、アクチュエータ４ｄを駆動させるためのスイッチである。使用入力手段９３〜９５は、複数の診断プローブ部３０Ａ〜３０Ｃのうちで、作動させたい診断プローブ部３０Ａ〜３０Ｃに光源１１から照射されたレーザ光を送るように使用判定手段２５及び使用切換手段９１を介して光分配装置４１〜４３を切り換えると共に、その診断プローブ部３０Ａ〜３０Ｃに電源２００からの電力を供給させる開閉器である。
【００３１】
なお、使用入力手段９３〜９５の構造、形式、設置場所等は、特に限定されない。例えば、使用入力手段９３〜９５は、ＯＣＴ本体１ａに取り付けるロータリースイッチ等の機械式スイッチ、ハンガーセンサに取り付けられたスイッチ、歯科用診療ユニット３００からインスツルメントハンガー３４０を着脱したのに応じてＯＮ／ＯＦＦする着脱スイッチ、診断プローブ部３０Ａ〜３０Ｃに設けられたＯＮ／ＯＦＦのスイッチ等から成り、それらのスイッチを総称していう。
【００３２】
＜使用判定手段＞
使用判定手段２５とは、使用入力手段９３〜９５の信号から、診断プローブ部３０を使用することができるか否かを判定するものである。例えば、ＯＮ／ＯＦＦのスイッチから成る使用入力手段９３〜９５を備えた診断プローブ部３０Ａ〜３０Ｃの場合、いずれかの診断プローブ部３０ＡのスイッチをＯＮにしたときに、診断プローブ部３０Ａを使用できるか否かを判定し、他の診断プローブ部３０Ｂ，３０Ｃが先に使用状態となっているときは使用ができない。また、他の診断プローブ部３０Ｂ，３０Ｃのすべてが未使用状態であれば、診断プローブ部３０Ａは、使用することができる。
【００３３】
＜使用切換手段＞
使用切換手段９１は、複数の診断プローブ部３０Ａ〜３０Ｃのうちで使用する一の診断プローブ部３０を使用可能にするために切り換えるスイッチ手段である。
使用切換手段９２は、複数の診断プローブ部３０Ａ〜３０Ｃのうち一の診断プローブ部３０の使用を判定する使用判定手段２５による診断プローブ部３０Ａ〜３０Ｂの使用判定に基づいて、診断プローブ部３０にガルバノミラー制御回路５３の電気信号、並びに、計測光が行くように、光分配手段等を自動的に切り換える装置である。
【００３４】
＜診断プローブ部＞
図２に示す診断プローブ部３０（プローブ）は、レーザ光を二次元走査する走査手段３２（ガルバノミラー）を含み、光学ユニット部１０からのレーザ光をサンプルＳに導くと共に、計測光をサンプルＳに照射してサンプルＳから反射して戻って来た散乱光を回収して光学ユニット部１０に導く装置である。
診断プローブ部３０は、図１に示すように、例えば、診療室Ｒ内に配置された３台の歯科用診療ユニット３００にそれぞれ配置された３台の診断プローブ部３０Ａ〜３０Ｃをから成る。それぞれの診断プローブ部３０Ａ〜３０Ｃは、レセプタクル３７を有するコネクタプラグ３６と、ケーブル６０（プローブ用光ファイバ６１）と、ハウジング３と、フレーム本体（図示省略）と、ファイバコリメータ３５と、受光レンズ３４と、走査手段３２と、走査光集光レンズ３１と、ノズル３ａ（図２参照）と、を備えている。
【００３５】
図１に示すように、ハウジング３は、各診断プローブ部３０Ａ〜３０Ｃの構成部品をそれぞれ覆うケース体である。ハウジング３は、例えば、平面視及び側面視してストレート形状に形成されている。ハウジング３内には、図３に示すように、フレーム本体（図示省略）、ファイバコリメータ３５、受光レンズ３４、走査手段３２、走査光集光レンズ３１が主に設けられている。また、ハウジング３には、ケーブル６０が引き出された状態に配置されている。
【００３６】
受光レンズ３４は、カップラ１２から計測光側サーキュレータ１４を介して送られた計測光を受光してレーザ径を調整するレンズであり、例えば、コリメータレンズから成る。
ファイバコリメータ３５は、例えば、受光レンズ３４（コリメータレンズ）を内部に備えた一体タイプのものから成る。
【００３７】
走査手段３２は、受光レンズ３４を通過したレーザ光の照射方向を変化させるためのミラーであり、Ｘ方向ガルバノミラーと、Ｙ方向ガルバノミラーと、を備えて構成されている。なお、走査手段３２は、レーザ光を二次元走査する二次元ＭＥＭＳ（Micro Electro Mechanical Systems）ミラーであってもよい。
【００３８】
図３に示すように、走査光集光レンズ３１は、走査手段３２による走査光を集光すると共に、計測光をサンプルＳに集光させて照射するレンズである。走査光集光レンズ３１とノズル３ａとの間には、ノズル３ａに当接されたサンプルＳと、走査光集光レンズ３１との間の距離を調整して集光点調整装置（図示省略）が設けられている。
【００３９】
図１に示すノズル３ａは、前歯用のノズルであり、走査光集光レンズ３１（図３参照）の前方に配置され計測光をサンプルＳ（図３参照）に照射して散乱光を回収する開口部を先端に有する筒体から成る。ノズル３ａは、ハウジング３に対して進退させて、走査光集光レンズ３１（図３参照）とサンプルＳ（図３参照）との距離を調整することが可能なノズル伸縮機構（図示省略）を備えている。
【００４０】
＜ケーブル＞
図１に示すように、ケーブル６０は、診断プローブ部３０（各診断プローブ部３０Ａ〜３０Ｃ）と、ＯＣＴ本体１ａ（光学ユニット部１０及び制御ユニット部５０）と、を光学的及び電気的に接続するためのものである。ケーブル６０は、例えば、光学ユニット部１０に接続されたプローブ用光ファイバ６１（図３参照）と、制御ユニット部５０に接続された電気配線６２（図３参照）と、を内蔵して構成されている。診断プローブ部３０側のケーブル６０と、ＯＣＴ本体１ａ側のケーブル６０とは、接続部６によって着脱自在に接続される。
【００４１】
図３に示すように、プローブ用光ファイバ６１は、診断プローブ部３０に計測光及び散乱光を伝送するための線状の光導体である。電気配線６２は、電源２００からの電力をＯＣＴ制御装置１００、使用切換手段９１、接続部６を介して走査手段３２に供給する電線を含む。それぞれのプローブ用光ファイバ６１及び電気配線６２は、一方がＯＣＴ本体１ａのそれぞれのコネクタ４６〜４８に着脱可能に取り付けられ、他方がそれぞれの診断プローブ部３０Ａ〜３０Ｃに接続されている。
【００４２】
光分配装置４を備えたＯＣＴ装置１において、計測光側サーキュレータ１４から各診断プローブ部３０Ａ，３０Ｂ，３０Ｃのファイバコリメータ３５までの計測光側のファイバ長（プローブ用光ファイバ６１の長さＬ１，Ｌ２，Ｌ３）と、参照光側サーキュレータ１８からコリメータ１９ａまでの参照光側光ファイバ１９ｂのファイバ長（長さＬ１０）と、は同じ長さになっている。計測光側のプローブ用光ファイバ６１のファイバ長（長さＬ１，Ｌ２，Ｌ３）は、例えば、計測光側サーキュレータ１４から各診断プローブ部３０Ａ，３０Ｂ，３０Ｃまでの距離が一番長いプローブ用光ファイバ６１の長さにファイバ長を揃える。各診断プローブ部３０Ａ，３０Ｂ，３０Ｃにおける計測光側サーキュレータ１４からファイバコリメータ３５までのプローブ用光ファイバ６１の長さＬ１，Ｌ２，Ｌ３と、参照光側サーキュレータ１８からコリメータ１９ａまでの参照光側光ファイバ１９ｂの長さＬ１０は、例えば、１０ｍである。
【００４３】
なお、プローブ用光ファイバ６１と、電気配線６２は、図１に示すように、１本のチューブ内に一緒に内設したものであってもよく、また、別々に配線したものであってもよい。
【００４４】
＜接続部＞
接続部６は、その一例を挙げると、図３に示すように、プローブ用光ファイバ６１と電気配線６２とが同じチューブ内に配線している場合、プローブ用光ファイバ６１接続用のコネクタと、電気配線６２接続用の電気接続コネクタと、を兼備したコネクタ４６〜４８から成る。
【００４５】
なお、プローブ用光ファイバ６１と、電気配線６２とが別々に配線されている場合、それぞれの接続部６は、プローブ用光ファイバ６１接続用のプラグとＯＣＴ本体１ａの壁面に設けられたカプラとから成る光コネクタと、電気配線６２接続用のプラグとＯＣＴ本体１ａの壁面に設けられたカプラとから成る電気接続コネクタと、の２つを備えて構成されている。
【００４６】
＜制御ユニット部＞
図３に示すように、制御ユニット部５０（制御ユニット）は、ＡＤ変換回路５１と、ＤＡ変換回路５２と、ガルバノミラー制御回路５３と、遅延回路５４と、ＯＣＴ制御装置１００と、を備えている。
【００４７】
ＡＤ変換回路５１は、ディテクタ２３（検出器）のアナログ出力信号をデジタル信号に変換するものである。
ＤＡ変換回路５２は、ＯＣＴ制御装置１００のデジタル出力信号をアナログ信号に変換するものである。このアナログ信号は、ガルバノミラー制御回路５３に入力する。
ガルバノミラー制御回路５３は、診断プローブ部３０の走査手段３２を制御するドライバである。
【００４８】
遅延回路５４は、電源２００と診断プローブ部３０とが互いに離れた位置に配置されていることによって生じる電気系信号と光系信号の時間的遅れの時間差を調整するための装置である。遅延回路５４は、図３に示すｋ−Ｃｌｏｃｋ（クロック信号ｃｋ）とｔｒｉｇｇｅｒのタイミングを遅らせ、光系統の信号の取り込むタイミングと併せることができる。
【００４９】
表示装置８０は、ＯＣＴ制御装置１００によって生成される光干渉断層画像（以下、ＯＣＴ画像という）を表示するものである。表示装置８０は、例えば、液晶ディスプレイ（ＬＣＤ：Liquid Crystal Display）、ＥＬ（Electronic Luminescence）、ＣＲＴ（Cathode Ray Tube）、ＰＤＰ（Plasma Display Panel）等から構成される。
【００５０】
ＯＣＴ制御装置１００は、ＯＣＴ装置１の制御装置であって、レーザ光に同期して走査手段３２を制御することで撮影を行うと共に、ディテクタ２３の検出信号を変換したデータからサンプルＳのＯＣＴ画像を生成する制御を行うものである。ＯＣＴ制御装置１００は、記憶手段と、演算手段と、を備えたコンピュータと、このコンピュータにインストールされたプログラムと、から構成される。ＯＣＴ制御装置１００には、入出力手段から成る入力装置９と、フットコントローラ９０と、電源２００と、が電気的に接続されている。
【００５１】
図３に示すように、入力装置９は、コリメータ１９ａを光路長調整アクチュエータ（図示省略）で光軸方向に移動させて、光路長を調整する指令を、表示装置８０の画面上に表示されたカーソル、または、アイコンを操作することで、アクチュエータ制御部（図示省略）に入力するコンピュータ指令手段等から成る。
【００５２】
コンピュータ指令手段は、例えば、パソコンの操作に使用されるキーボード９６（図６参照）に配置されているキーボードスイッチと、マウス９７（図６参照）と、を備えて構成されている。キーボードスイッチは、キーボード９６に多数設けられたプッシュスイッチから成る制御器であり、例えば、キーボードスイッチのうちのから成る。マウス９７は、表示装置８０の画面上に表示されて、光路長調整アクチュエータ（図示省略）を正転、反転させて光路長を調整するためのカーソル、及び、アイコンを操作する操作器である。
【００５３】
≪作用≫
次に、本発明の実施形態に係る光干渉断層画像生成装置（ＯＣＴ装置１）の作用を説明する。
【００５４】
図１に示すように、診療室Ｒには、複数の歯科用診療ユニット３００と、１台のＯＣＴ本体１ａと、が配置されている。それぞれの歯科用診療ユニット３００には、それぞれ診断プローブ部３０が配置されている。
【００５５】
図３に示すように、各診断プローブ部３０Ａ〜３０Ｃは、プローブ用光ファイバ６１及び電気配線６２のコネクタプラグ３６，３６，３６を、ＯＣＴ本体１ａのコネクタ４６〜４８にそれぞれ取り付けて接続する。さらに、レセプタクル３７によってコネクタ４６〜４７と、コネクタプラグ３６，３６，３６との接続をロック状態にする。また、各診断プローブ部３０Ａ〜３０Ｃは、電気配線６２をコネクタプラグ３６でＯＣＴ本体１ａ側のコネクタ４６にそれぞれ接続する。
【００５６】
このようにして、それぞれの歯科用診療ユニット３００に配置された診断プローブ部３０Ａ〜３０Ｃ、表示装置８０及びフットコントローラ９０は、コネクタプラグ３６をコネクタ４６に接続することで、ＯＣＴ本体１ａ側にそれぞれ接続される（図１参照）。
【００５７】
このため、複数の歯科用診療ユニット３００にそれぞれ配置された診断プローブ部３０を使用する場合は、プローブ用光ファイバ６１をＯＣＴ本体１ａのコネクタ４６〜４８に接続すればよいので、ＯＣＴ本体１ａを使用する度に移動させる必要が無いため、使用する際の準備作業を簡素化することができる。
また、それぞれの歯科用診療ユニット３００にそれぞれ配置された複数の診断プローブ部３０に対して、ＯＣＴ本体１ａを共用化して１台にすることができる。このため、ＯＣＴ本体１ａを配置する場所の占有面積を削減してスペース化を図ることができると共に、ＯＣＴ本体１ａの台数を削減して共用化した分だけコストの低減を図ることができる。
【００５８】
術者は、診断プローブ部３０を使用する場合、図１に示すように、３台の歯科用診療ユニット３００にそれぞれ配置された診断プローブ部３０Ａ〜３０Ｃのうちの１台を選んで使用することが可能である。例えば、図４に示す診断プローブ部３０Ｂを使用する場合は、三つの使用入力手段９３〜９５のうちの診断プローブ部３０Ｂ用の使用入力手段９４をＯＮにする。すると、使用する診断プローブ部３０Ｂと、ＯＣＴ本体１ａとが、プローブ用光ファイバ６１及び電気配線６２によって接続された状態になり、診断プローブ部３０Ｂの使用が可能となる。
【００５９】
なお、診断プローブ部３０Ｂが使用可能な状態のときは、図４に示すように、ファイバコリメータ４５からのレーザ光が診断プローブ部３０Ｂのみに向けて照射されるため、他の診断プローブ部３０Ａ，３０Ｃは使用することはできない。つまり、３台の診断プローブ部３０Ａ〜３０Ｃは、使用判定手段２５によって選択された１台のみが使用可能な状態になる。
【００６０】
次に、図２に示すフットコントローラ９０の操作ノブ９０ａを足踏み操作すると、診断プローブ部３０ＢによるサンプルＳの撮影が開始される。
【００６１】
このように、各歯科用診療ユニット３００は、ＯＣＴ本体１ａに接続されたフットコントローラ９０がそれぞれ配置されていることで、歯科用診療ユニット３００を使用する術者が表示装置８０を見て両手で治療しながら足元のフットコントローラ９０で、ＯＣＴ装置１を操作することができる。このため、スイッチ操作の操作性をよく、サンプルＳを撮影する撮影作業に作業性を向上させることができる。
【００６２】
診断プローブ部３０Ｂによって撮影されたサンプルＳの断層画像は、表示装置８０（図１参照）に映し出される。操作ノブ９０ｂを踏み操作すると、撮影を終了する。そして、操作ノブ９０ｃを操作すると、撮影した画像が保存される。
【００６３】
診断プローブ部３０Ｂ以外の診断プローブ部３０Ａ，３０Ｃを使用する場合は、使用入力手段ＯＮにして使用判定手段２５により、使用可能状態と判定され、使用切換が行われることで使用可能となる。
このため、複数の歯科用診療ユニット３００、ＯＣＴ本体１ａ、あるいは、複数の診断プローブ部３０Ａ〜３０Ｃは、使用入力手段９３〜９５を操作することで、作動させたい診断プローブ部３０Ａ〜３０Ｃに光源１１からのレーザ光を送るようにすることができる。
【００６４】
図３に示すように、本発明は、光源１１から照射されたレーザ光を、サンプルＳ（被写体）に照射する計測光と、参照ミラー２１に照射する参照光とに分配し、サンプルＳから反射して戻って来た散乱光と参照ミラー２１で反射した反射光とを合成させた干渉光を解析して光干渉断層画像を生成するＯＣＴ装置１（光干渉断層画像生成装置）であって、計測光をサンプルＳに照射してサンプルＳから反射して戻って来た散乱光を回収する診断プローブ部３０（プローブ）と、診断プローブ部３０に計測光及び散乱光を伝送するプローブ用光ファイバ６１と、計測光を照射する光源１１を備えたＯＣＴ本体１ａと、光源１１から照射されたレーザ光を複数の診断プローブ部３０Ａ，３０Ｂ，３０Ｃに分配して送る光分配装置４と、を備えている。
【００６５】
このように、ＯＣＴ装置１は、診断プローブ部３０を複数の診断プローブ部３０Ａ，３０Ｂ，３０Ｃに増設したとしても、光分配装置４によって光源１１から照射されたレーザ光を複数の診断プローブ部３０Ａ，３０Ｂ，３０Ｃに分配して送ることができる。このため、ＯＣＴ本体１ａは、１台であっても、複数の診断プローブ部３０のうちの１つにレーザ光を送って使用可能にすることができるので、診断プローブ部３０を複数設けても、１台のＯＣＴ本体１ａで対応させることが可能である。
【００６６】
また、診断プローブ部３０（プローブ）は、図１に示すように、計測光及び散乱光を伝送するプローブ用光ファイバ６１を備え、プローブ用光ファイバ６１は、ＯＣＴ本体１ａに着脱可能に取り付けられることが好ましい。
【００６７】
このように、ＯＣＴ装置１は、プローブ用光ファイバ６１をＯＣＴ本体１ａに着脱可能に取り付けられていることで、例えば、複数のプローブ用光ファイバ６１を１台のＯＣＴ本体１ａに接続して使用する場合、重いＯＣＴ本体１ａを動かさなくて済む。このように、ＯＣＴ装置１は、プローブ用光ファイバ６１を着脱式にしたことにより、診断プローブ部３０を使用したいときに、ＯＣＴ本体１ａに着脱するだけで、準備したり、片付けたりすることができるため、プローブ用光ファイバ６１の配線が容易で、使い勝手がよい。このため、サンプルＳ（被写体）を撮影する際の準備作業及び片付け作業を簡素化して、準備時間や、片付け時間を短縮することができる。
【００６８】
また、光分配装置４は、図５（ａ）、（ｂ）に示すように、レーザ光を反射させる反射鏡４ａ（光分配手段）あるいはプリズム４ｅ（光分配手段）と、反射鏡４ａあるいはプリズム４ｅをレーザ光を反射させる状態と、レーザ光を当たらない状態と、に切り換えるアクチュエータ４ｄと、を備えていることが好ましい。
【００６９】
このように、光分配装置４は、反射鏡４ａ（光分配手段）あるいはプリズム４ｅ（光分配手段を、レーザ光を反射させる状態と、レーザ光を当たらない状態と、にアクチュエータ４ｄによって切り換えるので、光源１１からのレーザ光を、所望の診断プローブ部３０のファイバコリメータ４９に向けて反射させることができる。このため、光分配装置４，４１〜４３は、１つの光源１１から照射されたレーザ光を、それぞれの診断プローブ部３０Ａ〜３０Ｃに向けて反射させることができるので、複数の診断プローブ部３０に対してＯＣＴ本体１ａが１台であっても効率よく対応することできる。
【００７０】
また、図３に示すように、ＯＣＴ本体１ａは、さらに遅延回路５４を有していることが好ましい。
このように、ＯＣＴ本体１ａは、遅延回路５４を有していることで、電源２００と診断プローブ部３０とが互いに離れた位置にあるＯＣＴ本体１ａに配置されていることによって生じる電気系信号と光系信号の時間的遅れの時間差を調整することができる。つまり、遅延回路５４は、ｋ−Ｃｌｏｃｋ（クロック信号ｃｋ）とｔｒｉｇｇｅｒのタイミングを遅らせ、光系統の信号の取り込むタイミングと併せる効果を奏する。
【００７１】
［第１変形例］
なお、本発明は、前記実施形態に限定されるものではなく、その技術的思想の範囲内で種々の改造及び変更が可能であり、本発明はこれら改造及び変更された発明にも及ぶことは勿論である。なお、既に説明した構成は同じ符号を付してその説明を省略する。
図６は、本発明の実施形態に係る光干渉断層画像生成装置の第１変形例を示す図であり、光干渉断層画像生成装置を１台の歯科用診療ユニットに使用している場合を示す斜視図である。
【００７２】
前記実施形態では、図１に示すように、診療室Ｒに、３台の歯科用診療ユニット３００と、３台の歯科用診療ユニット３００にそれぞれ診断プローブ部３０を配置した場合を例に挙げて説明したが、それぞれの台数は、適宜変更してもよい。
例えば、図６に示すように、歯科用診療ユニット３００及び診断プローブ部３０は、診断プローブ部３０に設けたケーブル６０の基端部を、ＯＣＴ本体１Ａａの接続部６に着脱可能に接続したものであればよく、１台でもよい。
【００７３】
また、入力装置９は、図６に示すように、キーボードスイッチや、マウス９７等のポインティングデバイスであってもよい。
また、１台の歯科用診療ユニット３００には、診断プローブ部３０用の踏み式スイッチのフットコントローラ９０Ａａと、他のハンドピース３８用の踏み式スイッチのフットコントローラ９０Ａｂと、を配置してもよい。
また、表示装置８０Ａは、パソコン（図示省略）のモニタであってもよい。
【００７４】
［第２変形例］
図７は、本発明の実施形態に係る光干渉断層画像生成装置の第２変形例を示す図であり、光分配装置を示すブロック図である。
前記実施形態では、光分配装置４の一例として、図４に示すように、複数（３つ）の光分配装置４１〜４３を備えたものを例に挙げて説明したが、これに限定されるものではない。光分配装置４Ａは、図７に示すように、複数の診断プローブ部３０に対して、光源１１（図３参照）からのレーザ光を１台の装置によって反射して送るようにしてもよい。
【００７５】
即ち、第２変形例の光分配装置４Ａは、ファイバコリメータ４５からのレーザ光を、光分配装置４Ａの周辺に配置された診断プローブ部３０，３０Ａ〜３０Ｆのコネクタプラグ３６に向けて反射可能にすることで、１台の光分配装置４Ａであっても、複数の診断プローブ部３０，３０Ａ〜３０Ｆにレーザ光を送ることが可能である。
【００７６】
この場合、光分配装置４Ａは、ファイバコリメータ４５からのレーザ光を反射する反射鏡４ａと、反射鏡４ａを取り付けたミラーマウント４ｂと、ミラーマウント４ｂの回転軸４ｃと、使用する診断プローブ部３０Ａ〜３０Ｆに使用切換手段９１を切換操作することで反射鏡４ａの反射方向を所望の診断プローブ部３０の方向に回動させるアクチュエータ４ｄと、を備えて構成されている。
【００７７】
このように構成することによって、１台の光分配装置４Ａであっても、複数の診断プローブ部３０，３０Ａ〜３０Ｆにレーザ光を送ってサンプルＳの撮影を可能にする。
【００７８】
［第３変形例］
前記実施形態では、光分配装置４の一例として、図５（ａ）、（ｂ）に示すように、回転軸４ｃをアクチュエータ４ｄで回転駆動させて光分配手段（反射鏡４ａ、あるいは、プリズム４ｅ）の角度を変える場合を例に挙げて説明したが、これに限定されるものではない。つまり、光分配装置４のアクチュエータ４ｄは、ミラーマウント４ｂに固定された回転軸４ｃを矢印ａ，ｂ方向に回動させることで、光分配手段の角度を変えることが可能なものであればよい。
【００７９】
例えば、アクチュエータ４ｄは、このほか、リンク機構、スライダー機構、歯車機構、ソレノイド、ピストン・シリンダ機構等を介在させて、光分配手段の位置を移動させて、光分配手段にレーザ光が当たる状態と、レーザ光が当たらない状態と、に切り換えるようにしてもよい。
【００８０】
［第４変形例］
図８は、本発明の実施形態に係る光干渉断層画像生成装置の第４変形例を示す図であり、光分配装置を示すブロック図である。
また、図８に示すように、光分配装置４Ｂは、レーザー光が当たる状態と、当たらない状態と、に切り換える（回転によるもの、進退によるものを含む）だけでなく、前記した複数の光分配手段４１〜４３（図４参照）のうちの１つの光分手段４Ｂのミラーマウント４Ｂｂのみを移動させることで、所定の診断プローブ部３０に計測光を送るようにしてもよい。
【００８１】
その場合、光分配装置４Ｂは、光分配手段４Ｂａを有する１つの光分配支持手段４Ｂｂと、光分配支持手段４Ｂｂを進退移動（矢印ｅ，ｆ方向にスライド移動）させるための電動式のアクチュエータ４Ｂｄと、アクチュエータ４Ｂｄによって移動する光分配支持手段４Ｂｂをガイドするレール部４Ｂｅと、を備えて構成されている。
【００８２】
アクチュエータ４Ｂｄは、使用切換手段９１Ｂからの切換入力信号に基づいて、診断プローブ部３０Ａ〜３０Ｃのファイバコリメータ４９に対応するレール部４Ｂｅ上のそれぞれに位置に光分配支持手段４Ｂｂを移動させるように構成されている。
レール部４Ｂｅは、診断プローブ部３０Ａ〜３０Ｃのファイバコリメータ４９に沿って平行に配置されている。
【００８３】
このように光分配装置４Ｂは、１つの光分配手段４Ｂａで構成することで、装置全体の構造を簡素化して小型化を図ることができる。
なお、この場合、光分配装置４Ｂは、光分配手段４Ｂａを有する１つの光分配支持手段４Ｂｂを、電機子巻線を有する一次側部材と、永久磁石を有する二次側部材と、が相対的に移動可能に構成されるリニアモータであってもよい。
【００８４】
［第５変形例］
図９は、本発明の実施形態に係る光干渉断層画像生成装置の第５変形例を示す図であり、光分配装置を示すブロック図である。
【００８５】
また、本発明のＯＣＴ本体１ａは、図９に示すように、計測光側サーキュレータ１４及び診断プローブ部３０，３０Ａ，３０Ｂ，３０Ｃ（プローブ）の間に配置される光分配装置４と、複数の診断プローブ部３０のうち一の診断プローブ部３０の使用を判定する使用判定手段２５Ｃに基づいて光分配装置４を切り換える使用切換手段９１（光分配制御手段、切換手段）と、参照光を伝送する参照光側光ファイバ１９ｂと、を備え、参照光側光ファイバ１９ｂと複数のプローブ用光ファイバ６１とは、互いに同じ長さであることが好ましい。
【００８６】
このように光分配装置４を備えた場合は、光学ユニット部１０Ｃに複数の診断プローブ部３０を配置する際に、ＯＣＴ本体１ａから各診断プローブ部３０までの距離が異なるため、計測光側のファイバ長（プローブ用光ファイバ６１の長さＬ１，Ｌ２，Ｌ３）を参照光側のファイバ長（参照光側光ファイバ１９ｂの長さＬ１０）と同じ長さにする必要がある。
その方法としては、例えば、各診断プローブ部３０の計測光側のファイバ長（プローブ用光ファイバ６１の長さＬ１，Ｌ２，Ｌ３）を、診断プローブ部３０のファイバコリメータ３５から光学ユニット部１０の計測光側サーキュレータ１４までの距離が一番長い光ファイバであるプローブ用光ファイバ６１の長さＬ１に、各診断プローブ部３０のファイバ長（プローブ用光ファイバ６１の長さＬ１，Ｌ２，Ｌ３）を揃える。例えば、プローブ用光ファイバ６１の長さＬ１，Ｌ２，Ｌ３を、全部１０ｍに揃える。
その場合、参照光側については、揃えられたファイバ長と同じ長さのファイバ長、例えば、１０ｍにする。
【００８７】
このように構成することにより、計測光側のファイバ長（光路長）と参照光側のファイバ長（光路長）とを容易に揃えることができる。また、光分配装置４がある場合であっても、参照光側光ファイバ１９ｂの長さＬ１０と、それぞれのプローブ用光ファイバ６１の長さＬ１，Ｌ２，Ｌ３とが、同じ長さであるため、それぞれの診断プローブ部３０Ａ，３０Ｂ，３０ＣでサンプルＳを撮影しても、同じ鮮明度の画像状態の画像が得られる。
また、ＯＣＴ装置１Ｃ（光干渉断層画像生成装置）は、複数の診断プローブ部３０Ａ，３０Ｂ，３０Ｃのうち一の診断プローブ部３０の使用を判定する使用判定手段２５Ｃに基づいて光分配装置４を切り換える使用切換手段９１を備えていることで、使用する診断プローブ部３０に応じて光分配装置４を自動的に切り換えることができる。
【００８８】
［第６変形例］
図１０は、本発明の実施形態に係る光干渉断層画像生成装置の第６変形例を示す図であり、光分配装置を示すブロック図である。
【００８９】
また、ＯＣＴ本体１ａは、図１０に示すように、計測光側サーキュレータ１４及び診断プローブ部３０，３０Ａ，３０Ｂ，３０Ｃ（プローブ）の間に配置される光分配装置４と、複数の診断プローブ部３０のうち一の診断プローブ部３０を使用するための光分配装置４を選択する選択スイッチ９１と、参照光を伝送する参照光側光ファイバ１９ｂと、を備え、参照光側光ファイバ９ｂと複数のプローブ用光ファイバ６１とは、互いに同じ長さであることが好ましい。
このように光分配装置４を手動的に選択するロータリースイッチやセレクタスイッチ等から成る選択スイッチ９１を備えた場合であっても、前記した使用切換手段９１（光分配制御手段、切換手段）のときと同様に、参照光側光ファイバ１９ｂの長さＬ１０と、それぞれのプローブ用光ファイバ６１の長さＬ１，Ｌ２，Ｌ３とを、同じ長さすることで、鮮明な画像を得ることができる。
【００９０】
［第７変形例］
図１１は、本発明の実施形態に係る光干渉断層画像生成装置の第７変形例を示す図であり、光分配装置を示すブロック図である。
【００９１】
本発明のＯＣＴ装置１ＤのＯＣＴ本体１ａは、図１１に示すように、計測光側サーキュレータ１４と診断プローブ部３０（プローブ）との間と、参照光側サーキュレータ１８と光路長変更手段２４（光路長設定手段）との間に、それぞれ配置される複数の光分配装置４，４Ｄと、複数の診断プローブ部３０のうち一の診断プローブ部３０の使用を判定する使用判定手段２５Ｄに基づいて複数の光分配装置４Ｄを切り換える使用切換手段９１，９１Ｄと、参照光を伝送する参照光側光ファイバ１９Ａｂ，１９Ｂｂ，１９Ｃｂと、を備え、複数のプローブ用光ファイバ６１と複数の参照光側光ファイバ１９Ａｂ，１９Ｂｂ，１９Ｃｂとは、少なくとも一組の同じ長さの光ファイバを有し、使用切換手段９１，９１Ｄは、使用判定手段２５Ｄに基づいて一組の同じ長さの光ファイバに光を反射させるように複数の光分配装置４，４Ｄを切り換えることが好ましい。
【００９２】
この場合、ＯＣＴ装置１Ｄは、計測光側用の光分配装置４と、参照光側の光分配装置４Ｄと、を備えている。参照光側の光分配装置４Ｄは、診断プローブ部３０及び計測光側用の光分配装置４の数である３台に合わせて、３つの光分配装置４１Ｄ，４２Ｄ，４３Ｄを備えている。３つの光分配装置４１Ｄ，４２Ｄ，４３Ｄの数に合わせて、光路長変更手段２４も、３台の光路長変更手段２４Ａ，２４Ｂ，２４Ｃから構成されている。
【００９３】
使用判定手段２５Ｄは、３つある診断プローブ部３０のうちでどの診断プローブ部３０Ａ，３０Ｂ，３０Ｃが使用されているのかをセンサ（使用入力手段９３〜９５）を介して判定する装置である。
【００９４】
ＯＣＴ装置１Ｄにおいて、診断プローブ部３０Ａのファイバコリメータ３５からファイバコリメータ４９までのプローブ用光ファイバ６１の長さＬ１１は、例えば、６ｍである。診断プローブ部３０Ｂのファイバコリメータ３５からファイバコリメータ４９までのプローブ用光ファイバ６１の長さＬ１２は、例えば、８ｍである。診断プローブ部３０Ｃのファイバコリメータ３５からファイバコリメータ４９までのプローブ用光ファイバ６１の長さＬ１３は、例えば、１０ｍである。
【００９５】
これらに対して、光路長変更手段２４Ａのコネクタ１９ｃからファイバコリメータ２４Ａａまでの参照光側光ファイバ１９Ａｂの長さＬ２１は、対応する診断プローブ部３０Ａ同様、６ｍである。
光路長変更手段２４Ｂのコネクタ１９ｃからファイバコリメータ２４Ｂａまでの参照光側光ファイバ１９Ｂｂの長さＬ２２は、対応する診断プローブ部３０Ｂ同様、８ｍである。
光路長変更手段２４Ｃのコネクタ１９ｃからファイバコリメータ２４Ｃａまでの参照光側光ファイバ１９Ｃｂの長さＬ２３は、対応する診断プローブ部３０Ｃ同様、１０ｍである。
【００９６】
このように構成することにより、計測光側用の複数の光分配装置４と参照光側の複数の光分配装置４Ｄとがある場合であっても、プローブ用光ファイバ６１の長さＬ１１，Ｌ１２，Ｌ１３（光路長）と、それぞれの診断プローブ部３０Ａ，３０Ｂ，３０Ｃに対応する参照光側光ファイバ１９Ａｂ，１９Ｂｂ，１９Ｃｂの長さＬ２１，Ｌ２２，Ｌ２３（光路長）とが、それぞれ同じ長さである。そして、診断プローブ部３０Ａ，３０Ｂ，３０Ｃのうちのある診断プローブ部３０が選択されて、計測光側の光分配装置４が切り換えられると、参照光側の光分配装置４Ｄについても、計測光側のプローブ用光ファイバ６１の長さＬ１１，Ｌ１２，Ｌ１３と同じ長さのファイバ長（長さＬ２１，Ｌ２２，Ｌ２３）を持つ参照光側光ファイバ１９Ａｂ，１９Ｂｂ，１９Ｃｂに切り換えられる。このため、それぞれの診断プローブ部３０Ａ，３０Ｂ，３０ＣでサンプルＳを撮影しても、同じ鮮明度の画像状態の画像を得ることができる。
第７変形例の場合は、光分配装置４，４Ｄが２個必要になるものの、余計なファイバ長の光ファイバを必要としないため、各診断プローブ部３０Ａ，３０Ｂ，３０Ｃ、及び、光路長変更手段２４Ｃまでの距離に適したファイバ長の光ファイバを用意することができる。
【００９７】
また、ＯＣＴ本体１ａは、計測光側サーキュレータ１４と診断プローブ部３０（プローブ）との間と、参照光側サーキュレータ１８と光路長変更手段２４（光路長設定手段）との間に、それぞれ配置される複数の光分配装置４，４Ｄと、複数の診断プローブ部３０のうち一の診断プローブ部３０を使用するための光分配装置４，４Ｄを選択する選択スイッチ９１，９１Ｄと、参照光を伝送する参照光側光ファイバ１９Ａｂ，１９Ｂｂ，１９Ｃｂと、を備え、複数のプローブ用光ファイバ６１と複数の参照光側光ファイバ１９Ａｂ，１９Ｂｂ，１９Ｃｂとは、少なくとも一組の同じ長さの光ファイバを有し、選択スイッチ９１，９１Ｄは、一組の同じ長さの光ファイバに光を反射させるように複数の光分配装置４Ｄを切り換えることが好ましい。
このように構成することにより、計測光側のファイバ長（光路長）と、参照光側光ファイバ１９Ａｂ，１９Ｂｂ，１９Ｃｂのファイバ長（光路長）とを、光分配装置４，４Ｄを選択する選択スイッチ９１，９１Ｄによって容易に切り換えて揃えることができる。
【００９８】
［第８変形例］
図１２は、本発明の実施形態に係る光干渉断層画像生成装置の第８変形例を示す図であり、光分配装置を示すブロック図である。
【００９９】
前記第７変形例のＯＣＴ装置１Ｄでは、図１１に示すように、３つの参照光側の光分配装置４１Ｄ，４２Ｄ，４３Ｄに合わせて、３つの光路長変更手段２４Ａ，２４Ｂ，２４Ｃから成る光路長変更手段２４を配置した場合を例に挙げて説明したが、これに限定されるものではない。
図１２に示すＯＣＴ装置１Ｅのように、切換手段２７Ｅを設けることで、参照光側の光分配装置４Ｅが３つの光分配装置４１Ｅ，４２Ｅ，４３Ｅから構成されていても、１つの光路長変更手段２４で対応させることが可能である。
【０１００】
この場合、ＯＣＴ装置１Ｅにおいて、計測光側サーキュレータ１４から各診断プローブ部３０Ａ，３０Ｂ，３０Ｃのファイバコリメータ３５までの計測光側のファイバ長（プローブ用光ファイバ６１の長さＬ１１，Ｌ１２，Ｌ１３）は、それぞれ相違しているか、または、同じ長さである。
【０１０１】
これに対して、参照光側サーキュレータ１８から光分配装置４１Ｅを介して光路長変更手段２４のコリメータ１９ａまでの参照光側光ファイバ１９ｂの長さＬ２１は、計測光側サーキュレータ１４から診断プローブ部３０Ａのファイバコリメータ３５までのプローブ用光ファイバ６１の長さＬ１１と、同じ長さである。
参照光側サーキュレータ１８から光分配装置４２Ｅを介して光路長変更手段２４のコリメータ１９ａまでの参照光側光ファイバ１９ｂの長さＬ２２は、計測光側サーキュレータ１４から診断プローブ部３０Ａのファイバコリメータ３５までのプローブ用光ファイバ６１の長さＬ１２と、同じ長さである。
参照光側サーキュレータ１８から光分配装置４３Ｅを介して光路長変更手段２４のコリメータ１９ａまでの参照光側光ファイバ１９ｂの長さＬ２３は、計測光側サーキュレータ１４から診断プローブ部３０Ａのファイバコリメータ３５までのプローブ用光ファイバ６１の長さＬ１３と、同じ長さである。
【０１０２】
このように構成することにより、照光側の光分配装置４Ｅが複数ある場合であっても、切換手段２７Ｅを設けることで、１つの光路長変更手段２４で対応可能であり、コストダウンを図ることができる。
【０１０３】
［第９変形例］
図１３は、本発明の実施形態に係る光干渉断層画像生成装置の第９変形例を示す図であり、光分配装置を示すブロック図である。
【０１０４】
本発明のＯＣＴ装置１ＦのＯＣＴ本体１ａは、図１３に示すように、光源１１とカップラ１２との間に配置される光分配装置４Ｆと、干渉光を検出するディテクタ２３からの複数の出力のうち一の出力を出力する出力切換装置（切換手段９２Ｆ）と、を備え、複数の診断プローブ部３０（プローブ）のうち一の診断プローブ部３０の使用を判定する使用判定手段２５Ｆに基づいて光分配装置４Ｆ及び切換手段９２Ｆ（出力切換装置）を制御する使用／出力切換手段（使用切換手段９１Ｆ）を有していることが好ましい。
【０１０５】
この場合、ＯＣＴ装置１Ｆは、３台の診断プローブ部３０Ａ，３０Ｂ，３０Ｃと、それぞれの診断プローブ部３０Ａ，３０Ｂ，３０Ｃに対応して配置された３つの光学ユニット部１０Ｆａ，１０Ｆｂ，１０Ｆｃと、３つの光学ユニット部１０Ｆａ，１０Ｆｂ，１０Ｆｃにそれぞれ対応する３つの光分配装置４１Ｆ，４２Ｆ，４３Ｆから成る光分配装置４Ｆと、を有している。それぞれの光分配装置４１Ｆ，４２Ｆ，４３Ｆは、光源１１の近傍に配置されている。
【０１０６】
使用判定手段２５Ｆは、使用している診断プローブ部３０が３つのうちのどの診断プローブ部３０Ａ，３０Ｂ，３０Ｃであるかを判定する装置である。
使用／出力切換手段（使用切換手段９１Ｆ）は、使用判定手段２５Ｆで判定した使用中の診断プローブ部３０に基づいて光分配装置４Ｆ及び切換手段９２Ｆを切り換える装置である。
【０１０７】
出力切換装置（切換手段９２Ｆ）は、使用判定手段２５Ｆからの制御信号を受けて、使用中の診断プローブ部３０に対応する光学ユニット部１０Ｆａ，１０Ｆｂ，１０Ｆｃに切換駆動させる装置である。切換手段９２Ｆには、ＡＤ変換回路２８Ｆが接続されている。ＡＤ変換回路２８Ｆは、複数のアナログ出力を入力できるようにすることも可能である。この場合、光源以外の複数の光学ユニット部１０Ｆａ，１０Ｆｂ，１０Ｆｃを別体として外部に置くので、複数のディテクタ２３からのアナログ出力がＯＣＴ本体１ａに返って来るように構成されている。そのうちの１つのアナログ出力をＡＤ変換回路２８Ｆに入れるために、切換手段９２Ｆを設けている。
光分配装置４１Ｆ，４２Ｆ，４３Ｆと、切換手段９２Ｆとは、使用判定手段２５Ｆに基づいて制御される。
【０１０８】
このように構成することにより、照光側の光分配装置４Ｆ、及び、診断プローブ部３０Ａ，３０Ｂ，３０Ｃが複数ある場合であっても、それらに対応させて３つの光学ユニット部１０Ｆａ，１０Ｆｂ，１０Ｆｃを設けて、切換手段９２Ｆで切り換えることによって対応可能である。
この場合、光源１１を除く光学ユニット部１０Ｆａ，１０Ｆｂ，１０Ｆｃは、複数必要である。しかし、各光学ユニット部１０Ｆａ，１０Ｆｂ，１０Ｆｃ内のファイバ長（光路長）の長さを揃える必要がない。また、光源１１を除く光学ユニット部１０Ｆａ，１０Ｆｂ，１０Ｆｃは、ユニット内部に組み込むか、収納した箱内に入れてユニット周辺に置くことも可能である。
【０１０９】
また、ＯＣＴ本体１ａは、光源１１とカップラ１２との間に配置される光分配装置４Ｆと、干渉光を検出するディテクタ２３からの複数の出力のうち一の出力を出力する出力切換装置（切換手段９２Ｆ）と、を備え、複数の診断プローブ部３０（プローブ）のうち一の診断プローブ部３０を使用するための光分配装置４Ｆ及び出力切換装置（切換手段９２Ｆ）に切り換える選択スイッチ（使用切換手段９１Ｆ）を有していることが好ましい。
このように構成しても、照光側の光分配装置４Ｆ、及び、診断プローブ部３０Ａ，３０Ｂ，３０Ｃが複数ある場合であっても、それらに対応した光学ユニット部１０Ｆａ，１０Ｆｂ，１０Ｆｃを選択スイッチ（使用切換手段９１Ｆ）で切り換えて使用することができる。
【０１１０】
［第１０変形例］
前記第５〜９変形例のＯＣＴ装置１Ｃ，１Ｄ，１Ｅ，１Ｆでは、図９〜図１３に示すように、使用判定手段２５Ｃ，２５Ｄ，２５Ｅ，２５Ｆが、複数の歯科用診療ユニット３００、ＯＣＴ本体１ａ、あるいは、複数の診断プローブ部３０に備えた使用入力手段９３〜９５からの入力を判定することが好ましい。
【０１１１】
この場合、使用入力手段９３〜９５には、大きく分けて４つの種類がある。
１つ目の使用入力手段９３〜９５は、歯科用診療ユニット３００の各ハンガー３６０に取り付けられた診断プローブ部３０の着脱を検出するプローブ着脱検出センサ等により、歯科用診療ユニット３００の優先回路機構の信号に基づいて、診断プローブ部３０が把持されたことを判定して切り換えを行う場合である（図１及び図２参照）。
２つ目の使用入力手段９３〜９５は、インスツルメントハンガー３４０とは別体の歯科用診療ユニット３００のいずれかの箇所にハンガー３６０を設け、そのハンガー３６０に診断プローブ部３０が使用されていることを検出するプローブ検出センサを備える場合である（図１及び図２参照）。
３つ目の使用入力手段９３〜９５は、複数の診断プローブ部３０にそれぞれ診断プローブ部３０の使用状態を示すスイッチが設けられている場合である。その場合の一例を挙げると、診断プローブ部３０にＯＮ／ＯＦＦスイッチが設けられている場合等がある。
また、４つ目の使用入力手段９３〜９５は、ＯＣＴ本体１ａにロータリースイッチのような適宜な形式のスイッチが設けられている場合等である。
使用判定手段２５Ｃ，２５Ｄ，２５Ｅ，２５Ｆは、使用入力手段９３〜９５（例えば、診断プローブ部３０に取り付けられたスイッチ）からの信号により、他の診断プローブ部３０が使用状態なら使用切換手段９１は切り換えを行わず、どの診断プローブ部３０も使用していなければ使用状態を可能とすることを判定するものとなる。また、使用入力手段９３〜９５からの信号が複数から来た場合、最先の信号を判定するものとなる。
【０１１２】
そして、それらの４つの種類の使用入力手段９３〜９５により、選択された一の診断プローブ部３０に光を分配するように、光分配装置４，４Ｄ，４Ｅ，４Ｆが切り換えられる。つまり、本発明の第８変形例は、使用判定手段２５Ｃ〜２５Ｆの信号に連動して、光分配装置４，４Ｄ，４Ｅ，４Ｆを制御することを特徴とする。
なお、使用判定手段２５Ｃ〜２５Ｆの信号は、一度ＯＣＴ制御装置１００、または、別体の制御装置（使用切換手段９２）に入力される。そこから、それらの制御装置によって、光分配装置４，４Ｄ，４Ｅ，４Ｆのアクチュエータ４ｄを直接駆動させて、切り換えを行う場合や、図３に示すように、使用切換手段９１を切り換えて、アクチュエータ４ｄを駆動させる場合がある。
【０１１３】
このように構成することにより、ＯＣＴ装置１Ｃ，１Ｄ，１Ｅ，１Ｆは、使用判定手段２５Ｃ，２５Ｄ，２５Ｅ，２５Ｆを備えていることで、診断プローブ部３０Ａ，３０Ｂ，３０Ｃが使用される場合、その使用される診断プローブ部３０に応じて、ＯＣＴ装置１Ｃ，１Ｄ，１Ｅ，１Ｆ全体を対応可能な状態に変換させることができる。
【０１１４】
［第１１変形例］
また、本発明は、図１〜図３に示すように、複数の歯科用診療ユニット３００のインスツルメントハンガー３４０は、診断プローブ部３０を備え、使用入力手段９３〜９５は、ハンガー３６０からインスツルメント４００が引き出されたこと、及び、ハンガー３６０への掛け止めを検出し、早く引き出されたインスツルメント４００を優先に当該インスツルメント４００のみを駆動させるように駆動回路を制御する優先回路機構である使用入力手段９３〜９５からの入力を判定することが好ましい。
【０１１５】
また、複数の歯科用診療ユニット３００には、ＯＣＴ本体１ａにそれぞれ接続された表示装置８０と、ＯＣＴ本体１ａにそれぞれ接続されたフットコントローラ９０と、を備え、優先回路機構は、ハンガー３６０からインスツルメント４００が引き出されたこと、及び、ハンガー３６０への掛け止めを検出したときに、表示装置８０及びフットコントローラ９０を診断プローブ部３０用に切り換えることが好ましい。
【０１１６】
このように構成することにより、１台の歯科用診療ユニット３００に複数のインスツルメント４００（診断プローブ部３０を含む）が備えられている場合に、優先回路機構を用いることで、診断プローブ部３０を設置するための別途のハンガー３６０やスイッチ（使用入力手段９３〜９５）を用いる必要がないという効果を奏する。
【０１１７】
また、どの歯科用診療ユニット３００で診断プローブ部３０が把持されたか判別された場合は、使用された判別された診断プローブ部３０を有する歯科用診療ユニット３００に付属しているフットコントローラ９０や、表示装置８０をＯＣＴ装置１の操作を行うために使用可能となる。つまり、歯科用診療ユニット３００に付属の表示装置８０とフットコントローラ９０とは、歯科用診療ユニット３００とＯＣＴ装置１Ａを兼用にすることが可能となる。これにより、ＯＣＴ本体１ａに別途表示装置８０やフットコントローラ９０を設ける必要がなくなるので、フットコントローラ９０の取り違いの解消や、コストダウンを図ることができる等の効果を奏する。
【０１１８】
［その他の変形例］
例えば、ＯＣＴ本体１ａは、図１では診療室Ｒ内の歯科用診療ユニット３００から離れた位置に配置されているが、いずれかの歯科用診療ユニット３００に設けてもよい。また、ＯＣＴ本体１ａは、診療室Ｒとは別の部屋に配置してもよい。
【０１１９】
使用入力手段９３〜９５は、図３ではＯＣＴ本体１ａに設置した場合を記載しているが、このほか、それぞれの歯科用診療ユニット３００に設置してもよく、また、それぞれの診断プローブ部３０Ａ〜３０Ｃに設けてもよい。
【０１２０】
例えば、使用入力手段９３〜９５をそれぞれの歯科用診療ユニット３００に設置する場合は、図２に示すように、診断プローブ部３０をインスツルメントハンガー３４０に着脱したのを検出する着脱スイッチや、操作パネル３５０に配置したプッシュスイッチ３５１等から成る。
使用入力手段９３〜９５を着脱スイッチとした場合は、診断プローブ部３０をインスツルメントハンガー３４０に離脱させたときにＯＮする光スイッチ、あるいは、診断プローブ部３０の装着時にＯＦＦして離脱時にＯＮする物理作動スイッチから成る。
【０１２１】
これらの使用入力手段９３〜９５の場合は、複数の歯科用診療ユニット３００にそれぞれ設置されたうちの１番早くにＯＮしたものを優先してＯＣＴ本体１ａに電気的に繋がるようにして、その使用入力手段９３〜９５が配置された１台の歯科用診療ユニット３００の診断プローブ部３０のみが使用できるようにする。そして、その診断プローブ部３０を使用した後、元の位置に戻すと使用入力手段９３〜９５がＯＦＦになり、他の診断プローブ部３０の使用が可能となる。
【０１２２】
また、使用入力手段９３〜９５は、図１に示すように、それぞれの歯科用診療ユニット３００に設置した表示装置８０に設けてよい。使用入力手段９３〜９５を各歯科用診療ユニット３００の表示装置８０に設ける場合は、例えば、タッチスイッチや、プッシュスイッチから成る。
【０１２３】
また、使用入力手段９３〜９５は、それぞれの診断プローブ部３０に設けてもよい。使用切換手段９１を診断プローブ部３０に設ける場合は、例えば、診断プローブ部３０のハウジング３に設けた押しボタンスイッチから成る。
【０１２４】
また、前記実施形態では、ＯＣＴ装置１の一例として、前歯（切歯）をサンプルＳと使用する際に利用するストレートタイプの診断プローブ部３０を例に挙げて説明したが、これに限定されるものではない。診断プローブ部３０は、サンプルＳを臼歯としてアングルタイプの臼歯用のノズルに交換して使用しても構わない。
【符号の説明】
【０１２５】
１，１Ａ，１Ｂ，１Ｃ，１Ｄ，１Ｆ  ＯＣＴ装置（光干渉断層画像生成装置）
１ａ，１Ａａ  ＯＣＴ本体
４，４Ａ，４Ｂ，４Ｄ，４Ｅ，４Ｆ，４１，４２，４３  光分配装置
４ａ    反射鏡（光分配手段）
４ｅ    プリズム（光分配手段）
４ｂ    ミラーマウント（光分配支持手段）
４ｃ    回転軸
４ｄ，４Ｂｄ  アクチュエータ
１１    光源
１２，４０Ａ  カップラ（光分割器）
１４    サーキュレータ（計測光側サーキュレータ）
１６    カップラ（光合波器）
１８    サーキュレータ（参照光側サーキュレータ）
１９ｂ，１９Ａｂ，１９Ｂｂ，１９Ｃｂ  参照光側光ファイバ
２１    参照ミラー
２３    ディテクタ
２４    光路長変更手段（光路長設定手段）
２５，２５Ｂ，２５Ｃ，２５Ｄ，２５Ｅ，２５Ｆ  使用判定手段
２７Ｅ  切換手段
２８Ｆ  ＡＤ変換回路
３０，３０Ａ，３０Ｂ，３０Ｃ，３０Ｄ，３０Ｅ，３０Ｆ  診断プローブ部（プローブ）
３１    走査光集光レンズ
３２    走査手段
３４    受光レンズ
３６    ファイバコリメータ
４６，４７，４８  コネクタ
５４  遅延回路
６０    ケーブル
６１    プローブ用光ファイバ
６２    電気配線
８０，８０Ａ  表示装置
９０，９０Ａａ，９０Ａｂ  フットコントローラ
９１，９１Ｄ  使用切換手段（選択スイッチ、光分配制御手段、切換手段）
９１Ｆ  使用／出力切換手段（選択スイッチ、使用切換手段）
９２Ｆ  切換手段（出力切換装置）
９３，９４，９５  使用入力手段
３００  歯科用診療ユニット
３４０  インスツルメントハンガー
３６０  ハンガー
４００  インスツルメント
Ｓ      サンプル（被写体）
【図１】
2020060455.tif 000003
【図２】
2020060455.tif 000004
【図３】
2020060455.tif 000005
【図４】
2020060455.tif 000006
【図５】
2020060455.tif 000007
【図６】
2020060455.tif 000008
【図７】
2020060455.tif 000009
【図８】
2020060455.tif 000010
【図９】
2020060455.tif 000011
【図１０】
2020060455.tif 000012
【図１１】
2020060455.tif 000013
【図１２】
2020060455.tif 000014
【図１３】
2020060455.tif 000015